(57)【要約】【課題】台木の断面楕円形状の茎が潰されず、台木と穂木との接合部を適当な圧着力で保持することにより、接ぎ木苗育苗作業の省力化を図ることのできる、特にウリ科に適した接ぎ木用ホルダーを提供する。【解決手段】一側部に上端部から下端部までのスリット２を備えた軟質プラスチックからなる筒状体１と、スリット２を開くために筒状体１に一体に連設された一対のつまみ３，４とを備え、筒状体１の内部の茎保持穴９におけるスリット２とは反対側の部分の断面形状が角丸三角形状である接ぎ木用ホルダー。この茎保持穴９の断面形状により、カボチャ台木の切断面とキュウリ穂木の切断面を合わせて保持しても茎が潰されにくい。また茎保持穴９に先に装着された台木に穂木を挿し込む時、台木と穂木の切断面を圧着させるため、少し強めに下方向へ穂木を挿し込んでも、台木苗が保持具のスリットからはみ出さない。【選択図】  図１
2012249541.tif 000002
【特許請求の範囲】
【請求項１】
一側部に上端部から下端部までのスリットを備えた軟質プラスチックからなる筒状体と、前記スリットを開くために前記筒状体に一体に連設された一対のつまみとを備え、前記筒状体の内部の茎保持穴における前記スリットとは反対側の部分の断面形状が角丸三角形状である接ぎ木用ホルダー。
【請求項２】
前記筒状体の上端部に、内面が傾斜した半円状の穂木挿入ガイドを突出して設けたことを特徴とする請求項１記載の接ぎ木用ホルダー。
【請求項３】
前記筒状体の下端部に、内面が傾斜した半円状の台木挿入ガイドを突出して設けたことを特徴とする請求項１または２に記載の接ぎ木用ホルダー。
【発明の詳細な説明】
【技術分野】
【０００１】
本発明は、接ぎ木用ホルダー、特にキュウリ、スイカ、メロン等のウリ科の果菜の接ぎ木をする際に、台木と穂木との接ぎ部分を保持する接ぎ木用ホルダーに関する。
【背景技術】
【０００２】
旧来より、栽培する果菜類の栽培施設の固定化による土壌伝染性病害や一部の虫害を避けたり、連作を可能にしたりするため、あるいは周年生産のために異常気象時に栽培を余儀なくされた場合の強健性、また台木の選択、例えばキュウリのブルームレス台木やカボチャを台木として用いることによって、果実の形質を変え高品質な果菜を生産するために接ぎ木という技術が用いられている。
【０００３】
例えば、スイカはカンピョウを台木としてスイカの穂木を接ぎ木する。キュウリは台木として主にカボチャを用いている。メロンやナス、トマトでは、品質の異なる共台が用いられている。
【０００４】
本出願人は先に、特許文献１において、接ぎ木後、苗が充分に成長するまで、支柱による支えを行うことができ、幼苗挿入ガイド口の確認が容易にでき、台木と穂木の切断面を確実に合わせることのできる構造のナス科（トマト、ナス、ピーマン）用の接ぎ木保持具を開示した。この接ぎ木保持具は、一側部に上端部から下端部までスリットを備えたプラスチックの筒状体と、スリットの上端部近傍にスリットの前方を塞ぐ状態に湾曲した腕を持つ支柱取付部材を備えた接ぎ木保持具であり、筒状体には指でつまむことができるつまみ部を一体的に形成し、筒状体の上端部に、内面が傾斜した半円状の穂木挿入ガイドを突出し、筒状体の下端部に、内面が傾斜した半円状の台木挿入ガイドを突出して設けたものである。これにより、台木の切断面と穂木の切断面を容易に合わせることができるようになり、活着率が向上した。
【０００５】
さらに、接ぎ木活着後、苗が生長して筒状体が保持できる径よりも太くなったときでも、支柱取付部材の腕の内側で苗木が引き続き保持されるため、苗木が充分生長するまで、支柱による支持ができ、ナス科の接ぎ木の分野で、接ぎ木作業の省力化や高品質な接ぎ木苗の生産に一定の効果が見られた。
【０００６】
果菜類の接ぎ木苗には、ナス科（ナス、ピーマン、トマト等）とウリ科（キュウリ、スイカ、メロン、ゴーヤ等）がある。ウリ科のキュウリ接ぎ木苗を作る場合、図８に示すように、断根されたカボチャを台木１００に使う。２枚の子葉１０１，１０２の内、図９に示すように１枚の子葉１０１を残し、他方の子葉１０２をカッターＣ等で斜め上方向に切断し、図１０に示す片葉の台木とする。１枚の片葉１０１を残さないと、接ぎ木後の穂木の成長が悪く活着率が低下する。
【０００７】
上述の特許文献１において開示された接ぎ木保持具はナス科に適した接ぎ木保持具であり、トマト、ナス、ピーマン等は、図１１に示すように台木となる苗に子葉を残さずに斜め上方向に切断した台木１１０に、図１２に示す接ぎ木保持具２０を上から下方向へ挿入する。その後、図１３に示すように接ぎ木保持具２０を挿入された台木１１０に、切断された穂木１２０を挿し込むことで、接ぎ木作業を行うことができる。しかし、ウリ科の接ぎ木苗を生産する場合は、図８に示すように台木１００となる苗の２枚の子葉１０１，１０２のうち図１０に示すように１枚を残して接ぎ木保持具２０を装着しなければならない。
【０００８】
このように、ウリ科の接ぎ木作業の場合、台木１００に１枚の子葉１０１を残しているので、図１４に示すように、子葉１０１が邪魔をして接ぎ木保持具２０を上から下方向へ挿し込むことができない。そこで、図１０に示すウリ科接ぎ木用の台木１００の切断面１０３と図１５，図１６に示す穂木１３０の切断面１３３を合わせて保持するものとして、図１７に示す、ステンレスバネ３１を使った小さなプラスチック製のピンチ３０等が多く接ぎ木生産業者間で使用されている。なお、穂木１３０には子葉１３１，１３２が付いており、茎１３４の下端が斜めに切断された切断面１３３となっている。
【０００９】
また、鉄やステンレスバネを使わず、軟質プラスチックの弾性を利用した筒状の接ぎ木用ホルダーが特許文献３に示されている。この接ぎ木用ホルダーの基本構成は、図１８に示すように、台木用苗の台部及び穂木用苗の穂部を内包し得る所定長さの円筒状からなる保持部４１と、保持部４１の長さ方向に亘るスリット４２と、保持部４１の背面に設けたスリット開閉用の把持部４３，４４とを有するものである。図１９に示すように、接ぎ木用ホルダー４０に設けられたスリット４２の反対側に設けられた把持部４３，４４を摘んでスリット４２を開き、１枚の子葉１０１を残している台木１００に横方向から挟み込める。
【００１０】
筒状のつまみ付き保持具の中では特許文献２に記載されたものが商品化され、ウリ科接ぎ木保持具として使用されている。
【００１１】
さらに、この種の接ぎ木用保持具としては、特許文献４〜７に開示されたものがある。
【先行技術文献】
【特許文献】
【００１２】
【特許文献１】特許第３８０１５７８号公報
【特許文献２】実開平６−９４３４号公報
【特許文献３】特開平８−２８０２５０号公報
【特許文献４】特開平１０−２９０６２８号公報
【特許文献５】特開平７−２０３７６４号公報
【特許文献６】特開平８−２９８８６３号公報
【特許文献７】実登第３０１６１２０号公報
【発明の概要】
【発明が解決しようとする課題】
【００１３】
上述した、図１７に示したステンレスバネ３１を使った小さなプラスチック製のピンチ３０は、プラスチックの挟持片と金属のバネ３１を使っているので組立が必要となり、コストが高く重量も重くなるので幼苗の接ぎ木苗には負担がかかる。
【００１４】
また、切断された台木の切断面１０３（図１０参照）と穂木の切断面１３３（図１５、図１６参照）を片手の指先で合わせ、もう一方の手でピンチ３０のクリップをつまみ拡げて挟むために（図１７参照）、熟練した作業者でなければ台木１００と穂木１３０の切断面１０３，１３３をずれないように合わせて摘み、接ぎ木をするのが難しい。
【００１５】
一方、上述した図１８に示す接ぎ木用ホルダー４０では、子葉１０１の片葉を切断した台木１００を挟み込んだ後（図２０参照）、苗保持孔４５の内周の隙間１０６（図２３参照）に穂木１３０を上から挿し込む（図２１参照）。
【００１６】
この従来の接ぎ木用ホルダー４０は、保持部４１にスリット４２が入っているので台木１００と穂木１３０の切断面１０３，１３３を圧着させるために、図２１に示すように接ぎ木用ホルダー４０を取り付けている台木１００に、穂木１３０を挿し込むときに力を入れて挿し込むと、台木１００がスリット４２からはみ出しやすくなる。
【００１７】
また接ぎ木用ホルダー４０を取り付けている台木１００に穂木１３０を挿し込むときに、力を加えずに台木１００の切断面１０３と穂木１３０の切断面１３３を合わせるだけだと、接着面の圧着が不足した場合は接ぎ木用ホルダー４０のスリット４２から台木１００がはみ出すことはないが、活着不良を起こすことがある。
【００１８】
またカボチャ台木１００の切断面１０３とキュウリ穂木１３０の切断面１３３を合わせる時、隙間なく圧着させなければ切断面１０３，１３３を合わせて台木１００とつながっているキュウリの穂木１３０よりも、直接土に植わっているカボチャ台木１００の方が勢いが強いので、図２４に示すように、接合部の隙間からカボチャ台木１００の芽（本葉の芽、生長点）１０７が出る。
【００１９】
カボチャ台木１００の芽１０７を摘み取らなければ、直接土に植わっている台木１００は勢いがあるので、カボチャ苗が育ち、キュウリの接ぎ木苗ができない。
【００２０】
図２２に示すように、カボチャ台木１００の苗の断面１０４は楕円形状なので、図２１に示すように子葉１０１，１０２の片葉を切断した台木１００の苗を円筒状の保持部４１を有する接ぎ木用ホルダー４０で横から挟み込むと、カボチャ台木１００は幅方向から締め付けられ、切断面内側部１０５（図２２、図２３参照）が潰され、台木１００の苗に負担が掛かると同時に接ぎ木用ホルダー４０のスリット４２が開く（図２３参照）。
【００２１】
台木１００は接ぎ木用ホルダー４０で挟んだ後、保持部４１の内周に生じる隙間１０６（図２３）にキュウリ穂木１３０の切断面１３３（図１６）を上部から挿し込んで（図２０）、台木１００の切断面１０３（図２０）と穂木１３０の切断面１３３を合わせるので、台木１００には接ぎ木用ホルダー４０のスリット４２から押し出される力が掛かる（図２５）。
【００２２】
また図２６に示すように、台木１００と穂木１３０の切断面１０３，１３３が活着する過程で穂木１３０の切断面１３３が大きく育ち、接合部が完全に形成される前に、スリット４２から台木１００の苗の接合部が押し出されることがある。また、接ぎ木苗の接着部が異形のまま本葉１３６が生えるほどに生長することで、図２７に示すように接合部の接着不良を起こし、接ぎ木苗が１５ｃｍ前後に育った時に支柱などの支えがなく、灌水時、茎や葉に水滴が付きその重みで苗が倒れたり定植時や店頭に並べた時に苗と苗が絡んだり手で触れられることで台木と穂木の接合部１３５が裂けて外れることがある。
【００２３】
特許文献６に開示された接ぎ木用クリップは、図２８に示すように、台木用苗の台部及び穂木用苗の穂部を内包し得る所定長さの筒状からなる保持部５１と、保持部５１の長さ方向に亘るスリット５２と、保持部５１の背面に設けたスリット開閉用の把持部５３，５４とを有する接木用クリップにおいて、保持部５１における台部及び穂部が内包される内径側の断面形状を、スリット５２と保持部５１の内径中心を結ぶ方向の長さよりもこれと直交する方向の長さの方が短い略長円形状にしたものであり、この接ぎ木用クリップ５０の保持部５１の内部５５の形状は、スリット５２側に長い菱形状になっているので、カボチャ台木の子葉の片葉をスリット側に向けて挟むと、断面楕円形状の茎（図２２参照）は潰される。
【００２４】
そこで本発明は、台木の断面楕円形状の茎が潰されず、台木と穂木との接合部を適当な圧着力で保持することにより、接ぎ木苗育苗作業の省力化を図ることのできる、特にウリ科の接ぎ木に適した接ぎ木用ホルダーを提供することを目的とする。
【課題を解決するための手段】
【００２５】
前記課題を解決するため、本発明の接ぎ木用ホルダーは、一側部に上端部から下端部までのスリットを備えた軟質プラスチックからなる筒状体と、前記スリットを開くために前記筒状体に一体に連設された一対のつまみとを備え、前記筒状体の内部の茎保持穴における前記スリットとは反対側の部分の断面形状が角丸三角形状であることを特徴とする。
【００２６】
このように、茎保持穴の内周を角丸三角形状（いわゆる逆おむすび形状）、すなわち、カボチャ台木の切断面とキュウリ穂木の切断面を合わせて保持しても茎が潰されにくい保持穴形状とした。
【００２７】
この保持穴形状のため、本発明の接ぎ木用ホルダーの茎保持穴に先に装着された台木に穂木を挿し込む時、台木と穂木の切断面を圧着させるため、少し強めに下方向へ穂木を挿し込んでも、台木苗が保持具のスリットからはみ出さない。
【００２８】
そのために台木と穂木の切断面を隙間なく圧着することができるので、カボチャ台木の接合部からカボチャの芽が発生することが少なくなる。そのため、カボチャ台木の接合部から出た本葉を摘み取る作業（生長点除去作業）が少なくなり、接ぎ木苗育苗作業の省力化ができる。
【００２９】
また、筒状体の上端部、下端部に、内面が傾斜した半円状の穂木挿入ガイドを突出して設けることにより、穂木切断部先端を傷めずに、上下どちらからでも台木を挟んだ後、ガイドを使い穂木を挿入できる保持具の上下を目視確認し、持ち替える必要がないので接ぎ木作業の省力化になる。
【発明の効果】
【００３０】
本発明によれば、一側部に上端部から下端部までのスリットを備えた軟質プラスチックからなる筒状体と、前記スリットを開くために前記筒状体に一体に連設された一対のつまみとを備え、前記筒状体の内部の茎保持穴における前記スリットとは反対側の部分の断面形状が角丸三角形状である接ぎ木用ホルダーとすることにより、台木の断面楕円形状の茎が潰されず、台木と穂木との接合部が適当な圧着力で保持されることにより、特にウリ科の接ぎ木苗育苗作業の省力化を図ることができる。
【図面の簡単な説明】
【００３１】
【図１】本発明の実施の形態に係る接ぎ木用ホルダーの構成を示すスリット側斜視図である。
【図２】本発明の実施の形態に係る接ぎ木用ホルダーの構成を示す平面図である。
【図３】本発明の実施の形態に係る接ぎ木用ホルダーの構成を示す正面図である。
【図４】本発明の実施の形態に係る接ぎ木用ホルダーの構成を示す反スリット側斜視図である。
【図５】本発明の実施の形態に係る接ぎ木用ホルダーに台木と穂木を挟んだ状態の平面図である。
【図６】本実施の形態の接ぎ木用ホルダーを用いて台木と穂木が良質形状に活着した状態の斜視図である。
【図７】カボチャ台木の接合部断面の隙間からカボチャの本葉（生長点）が育っている状態を示す斜視図である。
【図８】子葉が２つある台木（カボチャ台木）を示す斜視図である。
【図９】カボチャ台木の子葉を１枚切断する様子を示す斜視図である。
【図１０】子葉が１枚切断された台木の斜視図である。
【図１１】ナス科（トマト）の台木を示す斜視図である。
【図１２】ナス科（トマト）の台木に従来例の接ぎ木用保持具を挿入する状態を示す説明図である。
【図１３】ナス科（トマト）の台木が挿入された接ぎ木用保持具にナス科（トマト）の穂木を挿入しようとする説明図である。
【図１４】カボチャ台木にナス科用接ぎ木用保持具を挿入しようとする説明図である。
【図１５】茎を切断されたキュウリ穂木の切断面の正面図である。
【図１６】茎を切断されたキュウリ穂木の切断面の側面図である。
【図１７】カボチャ台木とキュウリ穂木の切断面を合わせて従来のクリップで保持する状態を示す説明図である。
【図１８】従来のウリ科用接ぎ木用ホルダーを示すもので、（ａ）は斜視図、（ｂ）は平面図である。
【図１９】図１８の接ぎ木用ホルダーをカボチャ台木に取り付ける作業の説明図である。
【図２０】図１８の接ぎ木用ホルダーをカボチャ台木にセットした状態の説明図である。
【図２１】図１８の接ぎ木用ホルダーをセットされたカボチャ台木にキュウリの穂木を挿し込む作業の説明図である。
【図２２】カボチャ台木の茎の形状を示す平面図である。
【図２３】カボチャ台木を図１８の接ぎ木用ホルダーで挟んでいる状態を示す平面図である。
【図２４】台木と穂木の切断面の圧着が弱く台木の接合部隙間から台木カボチャの芽が出ている状態の説明図である。
【図２５】図１８の接ぎ木用ホルダーを取り付けたカボチャ台木に穂木を力をいれ挿し込んだ時にスリットから台木がはみ出している状態の説明図である。
【図２６】図１８の接ぎ木用ホルダーからカボチャ台木の接合部分がキュウリ穂木の生長で押し出されている状態の説明図である。
【図２７】ウリ科接ぎ木苗の接合部接着の不良状態を示す説明図である。
【図２８】従来の特許文献６に示す接ぎ木用クリップの平面図である。
【発明を実施するための形態】
【００３２】
以下、本発明の実施の形態を、図面を参照しながら説明する。
図１は本発明の実施の形態に係る接ぎ木用ホルダー１０の構成を示す斜視図である。同図において、筒状体１は弾性を有する透明なプラスチック製、好ましくは分解性プラスチック製である。筒状体１は透明度を上げ、また接ぎ木接着部の状態が確認しやすく穂木の挿入時にすべりをよくするためにオイルが付着されている。
【００３３】
筒状体１は側部に上端部から下端部までのスリット２を有しており、筒状体１の両側部にはスリット２を開くためのつまみ３，４が一体成形されている。また筒状体１とつまみ３，４は上述のようにオイルが付着されて滑りやすくなっているので、つまみ３，４を押さえる時の指すべり止め部５，６も一体成形されている。また筒状体１の対向側上端部には内面が傾斜した半円状の穂木挿入ガイド７が設けられ、下端部にも上下どちらからでも穂木を挿入できるように、内面が傾斜した半円状の穂木挿入ガイド８が設けられている。
【００３４】
接ぎ木作業は、図９に示すように２枚の子葉１０１，１０２のうち、片方の子葉１０２をカッターＣ等で切断してカボチャ台木１００とし、図１９と同様に、接ぎ木用ホルダー１０のつまみ３，４を摘んでスリット２を開き、台木１００を挟み込む。なお、台木１００は、ウリ科では通常、根を切断（断根）したものを用いる。
【００３５】
接ぎ木用ホルダー１０で台木１００の苗を挟んだ時、図２２に示す楕円形状のカボチャ台木断面１０４が幅方向から締め付けられて切断面両側部が潰されないように、カボチャ台木１００を挟む部分の茎保持穴９は、図２に示すように台木１００の断面１０４に近い楕円形状が基本になっている。さらに、本実施の形態の接ぎ木用ホルダー１０の茎保持穴９は、図５に示すように、台木１００の茎１０８を挟んだ後、穂木１３０の茎１３４を少し強く挿し込んでも台木がはみ出さないように、スリット２の対向面が角丸三角形状（逆おむすび形状）となっている。
【００３６】
本実施の形態の接ぎ木用ホルダー１０は、台木１００と穂木１３０の切断面１０３，１３３が圧着され、活着時に穂木１３０が育ち太くなる時に、従来の図２６に示すように、茎保持穴９から台木１００の茎１０８（図５参照）がはみ出すことがないので、穂木１３０の径が太くなっていく力（圧力）と接ぎ木用ホルダー１０で適度に締め付けられるので、図６に示すように、接合部が良質に活着する。良質の接合部が活着するので、接ぎ木苗も早く生長し、生産性もよくなり、商品価値の高い接ぎ木苗が生産できる。
【００３７】
本実施の形態では、台木１００と穂木１３０の切断面を隙間なく圧着することができるので、図２４に示すように、カボチャ台木１００の接合部からカボチャの芽１０７（本葉の芽）が発生することが少なくなる。そのため、図７に示すように、カボチャ台木の接合部から出た本葉１０７を摘み取る作業（生長点除去作業）が少なくなり、接ぎ木苗育苗作業の省力化ができる。
【００３８】
また、接ぎ木用ホルダー１０のスリット２とは反対側の上端部と下端部の両方に穂木挿入ガイド７，８を設けたことにより、穂木切断部先端を傷めずに、上下どちらからでも台木１００を挟んだ後、穂木挿入ガイド７，８を使い穂木１３０を挿入できる。筒状体１の上下を目視確認でき、筒状体１を持ち替える必要がないので接ぎ木作業の省力化にもなる。
【００３９】
接ぎ木苗が生長し接合部が完全に形成し育った後は、筒状体１のスリット２から、接合部１３５がせり出して、図６に示すように接ぎ木用ホルダー１０は自然に茎から外れる。
【産業上の利用可能性】
【００４０】
本発明は、台木の断面楕円形状の茎が潰されず、台木と穂木との接合部を適当な圧着力で保持することにより、接ぎ木苗育苗作業の省力化を図ることのできる、接ぎ木用ホルダーとして、特にウリ科の接ぎ木に好適に利用することができる。
【符号の説明】
【００４１】
１  筒状体
２  スリット
３，４  つまみ
５，６  指すべり止め部
７  上部穂木挿入ガイド
８  下部穂木挿入ガイド
９  茎保持穴
１０  接ぎ木用ホルダー
１００  台木
１３０  穂木
【図１】
2012249541.tif 000003
【図２】
2012249541.tif 000004
【図３】
2012249541.tif 000005
【図４】
2012249541.tif 000006
【図５】
2012249541.tif 000007
【図６】
2012249541.tif 000008
【図７】
2012249541.tif 000009
【図８】
2012249541.tif 000010
【図９】
2012249541.tif 000011
【図１０】
2012249541.tif 000012
【図１１】
2012249541.tif 000013
【図１２】
2012249541.tif 000014
【図１３】
2012249541.tif 000015
【図１４】
2012249541.tif 000016
【図１５】
2012249541.tif 000017
【図１６】
2012249541.tif 000018
【図１７】
2012249541.tif 000019
【図１８】
2012249541.tif 000020
【図１９】
2012249541.tif 000021
【図２０】
2012249541.tif 000022
【図２１】
2012249541.tif 000023
【図２２】
2012249541.tif 000024
【図２３】
2012249541.tif 000025
【図２４】
2012249541.tif 000026
【図２５】
2012249541.tif 000027
【図２６】
2012249541.tif 000028
【図２７】
2012249541.tif 000029
【図２８】
2012249541.tif 000030
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
一側部に上端部から下端部までのスリットを備えた軟質プラスチックからなる筒状体と、前記スリットを開くために前記筒状体に一体に連設された一対のつまみとを備え、前記筒状体の内部の茎保持穴における断面形状が、前記スリットとは反対側の部分が頂部である角丸三角形状であり、前記筒状体の上端部の前記スリットと対向する部分に、内面が傾斜した穂木挿入ガイドを半円状に突出して設けたことを特徴とする接ぎ木用ホルダー。
【請求項２】
前記筒状体の下端部の前記スリットと対向する部分に、内面が傾斜した台木挿入ガイドを半円状に突出して設けたことを特徴とする請求項１記載の接ぎ木用ホルダー。
【手続補正２】
【補正対象書類名】明細書
【補正対象項目名】００２９
【補正方法】変更
【補正の内容】
【００２９】
また、筒状体の上端部、下端部に、内面が傾斜した半円状の穂木挿入ガイドを突出して設けることにより、穂木切断部先端を傷めずに、上下どちらからでも台木を挟んだ後、ガイドを使い穂木を挿入できる。また、保持具の上下を目視確認し、持ち替える必要がないので接ぎ木作業の省力化になる。